(57)【要約】      （修正有）【課題】コインの通過、コインの増減等の手品を容易に行なえる手品用コインを提供する。【解決手段】古銭２の表側の中心から見た円上で、文字間の地の部分に凹部４を刻設する。凹部４は深さが約０．７乃至０．９ｍｍ、底の径が約３．５乃至５ｍｍ、上端の円形開口径が約４乃至５ｍｍである。高さ約０．５ｍｍ、直径約３ｍｍの円柱状のネオジム磁石３を四つ用意し、接着剤を凹部４の底部に着け、ネオジム磁石３の底面を接着する。この際、ネオジム磁石３の上面は古銭２の表面より約０．１乃至０．２ｍｍ低くなるようにする。古銭２の主成分の金属粉体と古銭らしさを醸し出すための墨粉体を用意し、体積割合で７対３程度に混合する。混合粉体に接着剤を混ぜ合わせ、ネオジム磁石３の上を被覆する。古銭２の地の表面と面一となるようにサンドペーパ、ヤスリ等で研削し、ネオジム磁石３の上に古銭２の地の質感を模した被覆部６を形成する。【選択図】図１
0003200337.tif 000002
【実用新案登録請求の範囲】
【請求項１】
コインの複数個所に形成された磁石埋設用の凹部または孔部と、
各凹部または孔部に装着された磁石と、
磁石を被覆する被覆部と、
から成ることを特徴とする手品用コイン。
【請求項２】
各凹部または孔部はコインの文字、絵柄を避けた地の部分に設けたこと、
を特徴とする請求項１記載の手品用コイン。
【請求項３】
被覆部はコインの文字、絵柄を避けた地の部分を文字、絵柄と略面一となるようにして、元々の地の部分を埋めて設けたこと、
を特徴とする請求項２記載の手品用コイン。
【請求項４】
磁石はネオジム磁石であること、
を特徴とする請求項１乃至３の内のいずれか一項記載の手品用コイン。
【請求項５】
コインは古銭であること、
を特徴とする請求項１乃至４の内のいずか一項記載の手品用コイン。
【請求項６】
被覆部はコインの主成分の種類の金属粉体を含む粉体を磁石の上に接着して形成したこと、
を特徴とする請求項１乃至５の内のいずれか一項記載の手品用コイン。
【請求項７】
コインは古銭であり、被覆部はコインの主成分の種類の金属粉体と墨粉体を含む粉体を磁石の上に接着して形成したこと、
を特徴とする請求項１乃至４の内のいずれか一項記載の手品用コイン。
【請求項８】
粉体を接着剤と混ぜて磁石の上に接着するようにしたこと、
を特徴とする請求項６または７記載の手品用コイン。
【考案の詳細な説明】
【技術分野】
【０００１】
本考案は手品用コインに係り、とくにコインの通過、増減などのコインを用いた手品に好適な手品用コインに関する。
【背景技術】
【０００２】
手品芸は人を楽しませるだけでなく、「不思議」と思うときに脳の血流量が増すことでぼけ防止などの健康面にも役立つ。従来から種々の手品用ギミックが使用されているが、素人でも簡単に手品ができるものが少なかった。とくに、コインの通過、増減などには複雑な手品具を用いなければならなかった。
【先行技術文献】
【特許文献】
【０００３】
【特許文献１】特許第２６５５６６２号公報
【特許文献２】特開２００４−３３７３５２号公報
【特許文献３】実公平０３−４０３２０号公報
【考案の概要】
【考案が解決しようとする課題】
【０００４】
本考案は上記した従来技術の問題に鑑みなされたもので、複雑な手品具を用いなくてもコインの手品を容易にできる手品用コインを提供することを、その目的とする。
【課題を解決するための手段】
【０００５】
本考案では、コインの複数個所に形成された磁石埋設用の凹部または孔部と、
各凹部または孔部に装着された磁石と、
磁石を被覆する被覆部と、
から成ることを特徴としている。
本考案の１つの態様では、各凹部または孔部はコインの文字、絵柄を避けた地の部分に設けたこと、
を特徴としている。
他の１つの態様では、被覆部はコインの文字、絵柄を避けた地の部分を文字、絵柄と略面一となるように埋めるように設けたこと、
を特徴としている。
更に他の１つの態様では、磁石はネオジム磁石であること、
を特徴としている。
更に他の１つの態様では、コインは古銭であること、
を特徴としている。
更に他の１つの態様では、被覆部はコインの主成分の金属粉体を含む粉体を磁石の上に接着して形成したこと、
を特徴としている。
更に他の１つの態様では、コインは古銭であり、被覆部はコインの主成分の種類の金属粉体と墨粉体を含む混合粉体を磁石の上に接着して形成したこと、
を特徴としている。
他の１つの態様によれば、粉体を接着剤と混ぜて磁石の上に接着するようにしたことを特徴としている。
【考案の効果】
【０００６】
本考案によれば、古銭等のコインの通過、コインの増減等の手品を複雑な手品具を用いることなく容易に行うことができる。例えば、コップと磁石を組み込んだタバコの箱を用意し、まず磁石を組み込んだコインを、一方の手で持ったタバコの箱の磁石以外の場所に載せ、他方の手の上にコインを落として握ったあと手を開いてコインを見せ、コインとタバコの箱に仕掛けがないことをアピールする。次に、タバコの箱の磁石の場所に磁石を組み込んだコインを載せて磁着させ、他方の手の上にコインを落とした振りをして握る。コインを下面に磁着した状態でタバコの箱の下面にコインを磁着した状態でコップの上に載せ、握った方の手をコップの下方から開きながら強く底面に当てる。衝撃でタバコの箱の下面のコインがコップの底に落ち、あたかも握っていた手の方からコップの底を通過して中に入ったように見せることができる。
これとは別に、磁石を組み込んだ二枚のコインを合わせて磁着することで一枚のコインに見せておき、磁着を分離するだけで容易に二枚に増やす手品が可能となり、反対に、分離した二枚のコインを見せておき、磁着させるだけで容易に一枚のコインに減らす手品が可能となる。
本考案の１つの態様によれば、磁石を埋設する各凹部または孔部をコインの文字、絵柄を避けた地の部分に設けたので、磁石の仕掛けを判りにくくできる。
他の１つの態様では、被覆部はコインの文字、絵柄を避けた地の部分を文字、絵柄と略面一となるように埋めるように設けたので、コイン表面をのっぺりとした触り心地にできる。
更に他の１つの態様によれば、磁石をネオジム磁石としたので、確実な磁着が可能となり、失敗する恐れが少なくなる。
更に他の１つの態様によれば、コインを古銭としたので、珍しさでも人の気を惹きつけることができる。
更に他の１つの態様によれば、被覆部をコインの主成分の金属粉体を含む粉体を磁石の上に接着して形成したので、磁石の仕掛けを判りにくくできる。
更に他の１つの態様によれば、コインは古銭であり、被覆部はコインの主成分の種類の金属粉体と墨粉体を含む粉体を磁石の上に接着して形成したので、古銭の地の表面と似た質感とでき、磁石の仕掛けを判りにくくできる。
更に他の１つの態様によれば、粉体を接着剤と混ぜて磁石の上に接着するようにしたことにより、被覆部を容易に形成できる。
【図面の簡単な説明】
【０００７】
【図１】本考案の一実施例に係る手品用コインの平面図である（実施例１）。
【図２】図１の手品用コインの底面図である。
【図３】図１のＩＩＩ−ＩＩＩ’線に沿った断面図である。
【図４】図１の手品用コインの製造方法の説明図である。
【図５】図１の手品用コインで通過手品を行なう場合に用いるタバコの外観斜視図である。
【図６】図１の手品用コインによるコイン通過手品のやり方を示す説明図である。
【図７】図１の手品用コインによるコイン通過手品のやり方を示す説明図である。
【図８】図１の手品用コインによるコイン通過手品のやり方を示す説明図である。
【図９】図１の手品用コインによるコイン通過手品のやり方を示す説明図である。
【図１０】図１の手品用コインによるコイン通過手品のやり方を示す説明図である。
【図１１】図１の手品用コインによるコイン通過手品のやり方を示す説明図である。
【図１２】図１の手品用コインによるコイン通過手品のやり方を示す説明図である。
【図１３】図１の手品用コインによるコイン通過手品のやり方を示す説明図である。
【図１４】図１の手品用コインの変形例を示す断面図である。
【図１５】図１の手品用コインの他の変形例を示す断面図である。
【考案を実施するための最良の形態】
【０００８】
以下、本考案の最良の形態を実施例に基づき説明する。
【実施例１】
【０００９】
図１乃至図３を参照して本考案の一実施例を説明する。図１、図２、図３は各々、本考案に係るコインの平面図、底面図、図１のＩＩＩ−ＩＩＩ’線に沿った断面図である。
これらの図において、１は手品用コインであり、古銭（寛永通宝）２に４つの円柱状のネオジム磁石３を組み込んでなる。古銭２はリング状の外周縁部２ａ、中央の角孔の周縁部２ｂ、表側の文字２ｃ、裏側の波紋２ｄが一段高くなっている。外周縁部２ａ、周縁部２ｂ、波紋２ｄは絵柄をなす。ネオジム磁石３は古銭２の表側の中心から見た円上で、文字間の地２ｅの部分に形成された４つの凹部４の各々に接着剤層５により埋設されている。ネオジム磁石３の上側にはネオジム磁石３を被覆するとともに、古銭２の地２ｅの表面の質感を模す被覆部６が形成されている。
【００１０】
次に、図４を参照して手品用コイン１の製造方法を説明する。
古銭２の表側の中心から見た円上で、文字間の地２ｅの部分に凹部４を刻設する（図４（１）参照）。凹部４は深さが約０．７乃至０．９ｍｍ、底の径が約３．５乃至５ｍｍ、上端の円形開口径が約４乃至５ｍｍである。高さ約０．５ｍｍ、直径約３ｍｍの円柱状のネオジム磁石３を四つ用意し、接着剤を凹部４の底部に着け（図４（２）の符号５参照）、ネオジム磁石３の底面を接着する。この際、ネオジム磁石３の上面は古銭２の表面より約０．１乃至０．２ｍｍ低くなるようにする。ネオジム磁石３と凹部４の間に接着剤層５が形成される（図４（３）参照）。
古銭２の主成分の金属粉体と古銭らしさを醸し出すための墨粉体を用意し、体積割合で７対３程度に混合する。古銭２の寛永通宝が真鍮を主成分としているとき金属粉体は真鍮粉体とし、銅を主成分としているとき銅粉体とする（凹部４を刻設したときの切削粉体を使用することができる）。金属粉体と墨粉体の混合粉体に接着剤を混ぜ合わせ、ネオジム磁石３の上を被覆する（図４（４）参照）。最後に、古銭２の地２ｅの表面と面一となるようにサンドペーパ、ヤスリ等で研削する。ネオジム磁石３の上に古銭２の地２ｅの表面の質感を模した被覆部６が形成される（図３参照）。
【００１１】
次に、図５乃至図１３を参照して手品用コイン１を用いたコイン通過手品の仕方を説明する。
予め、手品用コイン１、透明なガラスコップ（図１０の符合１０参照）、ネオジム磁石２０を表面近くに組み込んだタバコの箱３０（図５参照）を用意する。タバコの箱３０は包装を丁寧に剥がし、表面近くの真ん中の一本を取り出し、ネオジム磁石２０を組み込んで元に戻し、包装し直して未開封状態に見えるようにしておく。
まず右手で持ったタバコの箱３０のネオジム磁石２０から離れた場所に手品用コイン１を裏側を下にして載せ（図６参照）、他方の左手の上に手品用コイン１を落として握る（図７、図８参照）。そして左手を開いて手品用コイン１を見せ、手品用コイン１とタバコの箱３０に仕掛けがないことをアピールする。
手品用コイン１は文字間に埋設された磁石３の上が古銭２の地２ｅの表面の質感を模した被覆部６により被覆してあるので、観客に手渡して仕掛けがないことを直接検査させても良い。また、タバコの箱３０も同様に観客に直接検査させても良い。
【００１２】
次に、右手に持ったタバコの箱３０のネオジム磁石２０の場所に手品用コイン１の表側を伏せるように載せ、ネオジム磁石３をネオジム磁石２０に磁着させる（図９参照）。そして、他方の左手の上に手品用コイン１を落とした振りをして握る（図１０参照）。手品用コイン１を下面に磁着した状態で、タバコの箱３０をガラスコップ１０の開口１１の上に載せ（図１１参照）、握った状態の左手をガラスコップ１０の下方から手を開きながら強くガラスコップ１０の底面１２に当てる（図１２参照）。衝撃でタバコの箱３０の下面の手品用コイン１がガラスコップ１０の底１３の上に落ち（図１３参照）。、あたかも握っていた左手の方からガラスコップ１０の底１３を通過して中に入ったように見せることができる。
【００１３】
これとは別に、ネオジム磁石３を組み込んだ二枚の手品用コイン１を合わせて磁着することで一枚のコインに見せておき、磁着を分離するだけで容易に二枚に増やす手品や、反対に、分離した二枚の手品用コイン１を見せておき、磁着させるだけで容易に一枚のコインに減らす手品も可能である。
【００１４】
この実施例によれば、古銭２の複数個所に形成された凹部４と、各凹部４に装着されたネオジム磁石３と、ネオジム磁石３の上を被覆する被覆部６とを設けたことにより、コインの通過、コインの増減等の手品を複雑な手品具を用いることなく容易に行うことができる。
また、手品用コイン１を古銭２としたので、珍しさでも人の気を惹きつけることができる。
また、各凹部４を古銭２の文字、絵柄を避けた地２ｅの部分に設けたので、ネオジム磁石３の仕掛けを判りにくくできる。
更に、ネオジム磁石３の使用により確実な磁着が可能となり、失敗する恐れが少なくなる。
また、ネオジム磁石３の上を被覆する被覆部６を古銭２の主成分の種類の金属粉体と墨粉体を含む混合粉体をネオジム磁石３の上に接着して形成したので、古銭２の地２ｅの表面とそっくりな質感を出すことができ、ネオジム磁石３の仕掛けを判りにくくできる。
【００１５】
なお、上記した実施例では、古銭として寛永通宝を用いたが、文久永宝などの他の種類の古銭を用いても良い。また、表側が寛永通宝の文字、裏側が文久永宝の文字としたダブルフェースのコインとしても良い。
また、文字間の四箇所に磁石を埋設したが、三箇所以下に埋設するようにしても良い。また、裏側の絵柄の間の地の部分の一または複数個所に設するようにしても良い。
また、金属粉体と墨粉体の体積比を７対３としたが、本考案は何らこれに限定されず９対１、８対２、６対４、５対５などとしても良い。
また、ネオジム磁石を古銭の表側に埋設するようにしたが、裏側に埋設するようにしてもよく、この場合も、絵柄を避けて表面の地の部分に埋設すると良い。
また、古銭に刻設した凹部にネオジム磁石を埋設するようにしたが、図１４に示す手品用コイン１Ａに示す如く、古銭２Ａの文字、絵柄を避けながら表裏貫通した複数の孔部４０を刻設し、各孔部４０に円柱状のネオジム磁石３Ａを接着剤層５０を介して埋設し、ネオジム磁石３Ａの上側と下側にネオジム磁石３Ａを被覆するとともに、古銭２Ａの表面の地を模す被覆部６Ａを形成するようにしても良い。
また、ネオジム以外の磁石を用いても良い。
また、上記した実施例では、被覆部は古銭の内、文字、絵柄の間の元々の地の部分と面一となるようにしたが、図１５の被覆部６Ｂに示す如く、コインの文字、絵柄の表面と略面一となるようにして、元々の地２ｅの部分を埋めて設け、コイン表面をのっぺりとした触り心地になるようにしても良い。
【産業上の利用可能性】
【００１６】
本考案は、コインの通過、コインの増減等の手品に使用するコインギミックに適用可能である。
【符号の説明】
【００１７】
１、１Ａ  手品用コイン
２、２Ａ  古銭
３、３Ａ  ネオジム磁石
４  凹部
５、５０  接着剤層
６、６Ａ、６Ｂ  被覆部
１０  ガラスコップ
１１  開口
１２  底面
１３  底部
２０  ネオジム磁石
３０  タバコの箱
４０  孔部
【図１】
0003200337.tif 000003
【図２】
0003200337.tif 000004
【図３】
0003200337.tif 000005
【図４】
0003200337.tif 000006
【図５】
0003200337.tif 000007
【図６】
0003200337.tif 000008
【図７】
0003200337.tif 000009
【図８】
0003200337.tif 000010
【図９】
0003200337.tif 000011
【図１０】
0003200337.tif 000012
【図１１】
0003200337.tif 000013
【図１２】
0003200337.tif 000014
【図１３】
0003200337.tif 000015
【図１４】
0003200337.tif 000016
【図１５】
0003200337.tif 000017